(57)【要約】      （修正有）【課題】飲み口部分に引っ掛け部を有する商品を収容することが可能な商品収納ラックの構成を簡単にしてコストの低減を図りつつ、商品をスムーズに収容可能な自動販売機の商品収納ラックを提供する。【解決手段】飲み口部分に引っ掛け部を有し、かつ、容器形態が軟弱な商品を販売する自動販売機の商品収納ラックであって、上下左右のフレーム材により商品収納ラックの枠体を構築し、左右のフレーム材に上下方向に複数段架設され、所定の間隙をおいて配置された左右一対の商品挟持部材３１，３１に前記商品の引っ掛け部を引っ掛けて支持し、かつ、前方側（商品投入側）に対して後方側が低くなるよう傾斜して前記商品をその自重により滑らせて吊下げ収容するとともに後端部に商品搬出機構３４を有する商品支持ユニット３０を設け、前記挟持部材３１，３１を一方の面に潤滑性の塗膜が施された薄板の塗膜鋼板により形成し、自重による滑りを良好にする。【選択図】図４
2010108481.tif 000002
【特許請求の範囲】
【請求項１】
飲み口部分に引っ掛け部を有し、かつ、容器形態が軟弱な商品を販売する自動販売機の商品収納ラックであって、上下左右のフレーム材により商品収納ラックの枠体を構築し、左右のフレーム材に上下方向に複数段架設され、所定の間隙をおいて配置された左右一対の挟持部材に前記商品の引っ掛け部を引っ掛けて支持し、かつ、前方側に対して後方側が低くなるよう傾斜して前記商品をその自重により滑らせて吊下げ収容するとともに後端部に商品搬出機構を有する商品支持ユニットを設けてなり、前記挟持部材の前記商品の引っ掛け部と接触する部分を滑り木状に形成したことを特徴とする自動販売機の商品収納ラック。
【請求項２】
請求項１記載の自動販売機の商品収納ラックにおいて、挟持部材を一方の面に潤滑性の塗膜が施された薄板の塗膜鋼板により形成し、所定の間隙をおいて対峙する前記挟持部材の端部を、当該塗膜鋼板の他方の面同士が接するようにダブルホールドして滑り木状に形成したことを特徴とする自動販売機の商品収納ラック。
【請求項３】
請求項１記載の自動販売機の商品収納ラックにおいて、挟持部材における所定の間隙をおいて対峙する端部に滑り木状に形成したレールを装着したことを特徴とする自動販売機の商品収納ラック。
【請求項４】
請求項３記載の自動販売機の商品収納ラックにおいて、レールは着脱自在であることを特徴とする自動販売機の商品収納ラック。
【請求項５】
請求項１乃至請求項４のいずれかに記載の自動販売機の商品収納ラックにおいて、挟持部材における所定の間隙をおいて対峙する前端部は前方に向けて拡開してなることを特徴とする自動販売機の商品収納ラック。
【発明の詳細な説明】
【技術分野】
【０００１】
この発明は、飲み口部分に引っ掛け部を有する商品を販売する自動販売機であって、前記商品を吊下げ支持し、かつ、前方側（商品投入側）に対して後方側が低くなるよう傾斜して前記商品をその自重により滑らせて収容するとともに後端部に商品搬出機構を備えた自動販売機の商品収納ラックに関する。
【背景技術】
【０００２】
自動販売機で取り扱う商品は多様化しており、飲料が充填された容器が硬質の缶入り商品，ペットボトル入り商品に加えて、ゼリー状の飲食物を可撓性袋状容器に充填し、可撓性袋状容器に硬質の合成樹脂からなる注出口部としてのスパウトを固着して飲み口とし、前記スパウトにキャップを装着した商品（以下、パウチ商品ともいう）を販売可能とする自動販売機が要求され、このパウチ商品を販売可能とした自動販売機が知られている（例えば、特許文献１）。前記特許文献１に開示された自動販売機においては本体キャビネットの庫内に上下複数段に配列された商品収納ラックを備え、それぞれの商品収納ラックの商品載置面に所定の間隔をおいて左右方向に複数の仕切壁を設け、隣接する仕切壁間を商品収納通路として商品を前後（奥行き）方向に並べて収容するとともにそれぞれの商品収納通路に商品を前方に押圧するプッシャ部材を設け、商品選択ボタンの操作によりプッシャ部材を駆動して商品を押出すように構成されている。
【０００３】
ここで、パウチ商品はその一例を図６に示すように構成されている。すなわち、図６に示すようにパウチ商品１００，２００は可撓性袋状容器１０２に硬質の合成樹脂からなる注出口部としてのスパウト１０４を固着し、当該スパウト１０４にキャップ１０６を装着してなる。前記スパウト１０４にはフランジ１０５が形成されており、図６の（ａ）の例ではフランジ１０５が１個のパウチ商品１００、（ｂ）の例ではフランジ１０５が２個のパウチ商品２００を示している。前記可撓性袋状容器１０２内にはスパウト１０４からゼリー状の飲食物が注入されており、可撓性袋状容器１０２が軟弱であることから起立させることが困難なものである。なお、１０７はスパウト１０４に設けられた接合フランジである。
【先行技術文献】
【特許文献】
【０００４】
【特許文献１】特開２００５−２２８０５８号公報
【発明の概要】
【発明が解決しようとする課題】
【０００５】
特許文献１に開示された自動販売機においては商品収納ラックが水平に配置されており、当該商品収納ラックの商品収納通路に商品を載置して収容するように構成されている。このため容器形態が軟弱なパウチ商品を収納するとパウチ商品の収納姿勢が乱れ、かつ、パウチ商品を後方からプッシャ部材にて押圧するとパウチ商品が潰れて販売することができないおそれがある。そこで、図６に示したようにパウチ商品のスパウト１０４にはフランジ１０５が設けられ、当該フランジ１０５を引っ掛け部として支持すれば商品が起立することに着目し、前記特許文献１ではスパウト１０４を挟むように間隙をおいて配置された商品支持部材を設け、この商品支持部材に前記フランジ１０５を引っ掛けるようにパウチ商品を装填して収容するとともに前記商品支持部材に近接して前後のスプロケット間に張架された搬送チェーンにパウチ商品のスパウト１０４（若しくはキャップ１０６）を後方から押圧する複数の商品仕切ピンを配設し、販売時に搬送チェーンを駆動して商品仕切ピンによりパウチ商品を押出すように構成されている。この特許文献１に開示された自動販売機においては容器形態が軟弱なパウチ商品を販売することができる点で優れているが、商品収納ラックの構成が複雑となりコストが嵩むという課題を有する。
【０００６】
そこで、本発明は上記の点に鑑みなされたものであり、その目的は前記課題を解決し、飲み口部分に引っ掛け部を有する商品を収容することが可能な商品収納ラックの構成を簡単にしてコストの低減を図りつつ、商品をスムーズに収容可能な自動販売機の商品収納ラックを提供することにある。
【課題を解決するための手段】
【０００７】
上記目的を達成するために請求項１に係る発明は、飲み口部分に引っ掛け部を有し、かつ、容器形態が軟弱な商品を販売する自動販売機の商品収納ラックであって、上下左右のフレーム材により商品収納ラックの枠体を構築し、左右のフレーム材に上下方向に複数段架設され、所定の間隙をおいて配置された左右一対の挟持部材に前記商品の引っ掛け部を引っ掛けて支持し、かつ、前方側に対して後方側が低くなるよう傾斜して前記商品をその自重により滑らせて吊下げ収容するとともに後端部に商品搬出機構を有する商品支持ユニットを設けてなり、前記挟持部材の前記商品の引っ掛け部と接触する部分を滑り木状に形成したことを特徴とする。
また、請求項２に係る発明は請求項１記載の自動販売機の商品収納ラックにおいて、挟持部材を一方の面に潤滑性の塗膜が施された薄板の塗膜鋼板により形成し、所定の間隙をおいて対峙する前記挟持部材の端部を、当該塗膜鋼板の他方の面同士が接するようにダブルホールドして滑り木状に形成したことを特徴とする。
【０００８】
また、請求項３に係る発明は請求項１記載の自動販売機の商品収納ラックにおいて、挟持部材における所定の間隙をおいて対峙する端部に滑り木状に形成したレールを装着したことを特徴とする。
また、請求項４に係る発明は請求項３記載の自動販売機の商品収納ラックにおいて、レールは着脱自在であることを特徴とする。
また、請求項５に係る発明は請求項１乃至請求項４のいずれかに記載の自動販売機の商品収納ラックにおいて、挟持部材における所定の間隙をおいて対峙する前端部は前方に向けて拡開してなることを特徴とする。
【発明の効果】
【０００９】
本発明の請求項１に係る自動販売機の商品収納ラックによれば、飲み口部分に引っ掛け部を有し、かつ、容器形態が軟弱な商品を販売する自動販売機の商品収納ラックであって、上下左右のフレーム材により商品収納ラックの枠体を構築し、左右のフレーム材に上下方向に複数段架設され、所定の間隙をおいて配置された左右一対の挟持部材に前記商品の引っ掛け部を引っ掛けて支持し、かつ、前方側に対して後方側が低くなるよう傾斜して前記商品をその自重により滑らせて吊下げ収容するとともに後端部に商品搬出機構を有する商品支持ユニットを設けてなり、前記挟持部材の前記商品の引っ掛け部と接触する部分を滑り木状に形成したことにより、飲み口部分に引っ掛け部を有し、かつ、容器形態が軟弱な商品を収容する商品収納ラックを簡単な構成とすることができ、挟持部材における商品の引っ掛け部との間の摩擦抵抗が小さいことから商品の自重による滑りを良好にすることが可能である。
【００１０】
また、本発明の請求項２に係る発明は請求項１記載の自動販売機の商品収納ラックにおいて、挟持部材を一方の面に潤滑性の塗膜が施された薄板の塗膜鋼板により形成し、所定の間隙をおいて対峙する前記挟持部材の端部を、当該塗膜鋼板の他方の面同士が接するようにダブルホールドして滑り木状に形成したことにより、商品を吊下げ支持する挟持部材を薄板鋼板により形成することができるので、自動販売機の重量の軽減化を図ることが可能であり、更に、挟持部材の上下面に商品が接した場合にも商品と挟持部材との間の摩擦抵抗が小さいことから商品をスムーズに滑動させることができるので、挟持部材の傾斜角を大きくすることが可能である。
また、本発明の請求項３に係る発明は請求項１記載の自動販売機の商品収納ラックにおいて、挟持部材における所定の間隙をおいて対峙する端部に滑り木状に形成したレールを装着したことにより、簡単な構成により挟持部材と商品の引っ掛け部との間の摩擦抵抗を小さくして商品の自重による滑りを良好にすることができる。
【００１１】
本発明の請求項４に係る発明は請求項３記載の自動販売機の商品収納ラックにおいて、レールは着脱自在であることにより、経年変化により挟持部材の滑り性が劣化した場合にも商品支持ユニット自体を交換することなくレールのみを交換すればよく、保守部品の低廉化を図ることができる。
本発明の請求項５に係る発明は請求項１乃至請求項４のいずれかに記載の自動販売機の商品収納ラックにおいて、挟持部材における所定の間隙をおいて対峙する前端部は前方に向けて拡開してなることにより、商品支持ユニットへの商品の装填（補充）を容易に行うことができる。
【図面の簡単な説明】
【００１２】
【図１】本発明の実施の形態１である自動販売機の全体構成を示す外扉開放状態の斜視図である。
【図２】図１の要部側面断面図である。
【図３】本発明の実施の形態１に係るスラント式商品収納ラックの全体構成の斜視図である。
【図４】図３のスラント式商品収納ラックに架設される商品支持ユニットを示し、（ａ）は前方から見た斜視図であり、（ｂ）は後方から見た斜視図である。
【図５】商品支持ユニットに搭載された商品搬出機構を示し、（ａ）は商品搬出機構の一部を分解した斜視図であり、（ｂ）は商品搬出機構の要部拡大斜視図である。
【図６】容器形態が軟弱なパウチ商品を示し、（ａ）および（ｂ）はそれぞれ種類の異なるパウチ商品の正面図である。
【図７】商品支持ユニットに商品を装填する状態を示し、（ａ）は商品支持ユニットに商品を装填する状態の模式図であり、（ｂ）は商品支持ユニットに商品を装填した状態を示す正面図である。
【図８】商品支持ユニットに商品を収容した状態を示す側面図である。
【図９】商品支持ユニットに装填されたパウチ商品が滑動する状態を示す説明図である。
【図１０】商品搬出機構の搬出動作を説明するための平面図である。
【図１１】サーペンタイン式商品収納ラックとの互換性を持たせるためのアダプター部材を示し、（ａ）および（ｂ）はそれぞれ異なるアダプター部材の組付けを説明するための一部分解斜視図である。
【図１２】本発明の実施の形態２である自動販売機におけるスラント式商品収納ラックに架設される商品支持ユニットを示し、（ａ）はその全体構成の分解斜視図、（ｂ）はその組立図である。
【発明を実施するための形態】
【００１３】
以下、本発明における実施の形態である自動販売機を図面に基づいて詳細に説明する。
（実施の形態１）
先ず図１および図２を用いて自動販売機の全体構造を説明する。図において、１は前面が開口した本体キャビネットである。前記本体キャビネット１は鋼板製の外箱の内側、すなわち、上壁，左右側壁，背壁および底壁１ａにウレタンフォームからなる断熱ボードを配設して断熱筐体として構成されている。前記本体キャビネット１の断熱ボードで囲まれた商品収納庫内は断熱仕切板１１により左右方向に複数、この実施の形態では３つの商品収納室１２，１３，１４に区画されている。左右の商品収納室１２，１４には従来より良く知られている湾曲したセグメントを上下方向に連接したセグメント列を前後に対向配置して蛇行した商品通路を構成してなるサーペンタイン式商品収納ラック１２１，１４１がそれぞれ左右２列ずつ収設されている。中央の商品収納室１３には本発明により提供される後述するスラント式の商品収納ラック２０がそれぞれ収設されている。前記商品収納ラック１２１，１４１，２０の下部には前下がりに傾斜し、かつ、無数の穴が形成されたシュータ２が配置されている。前記シュータ２の下部には、それぞれの商品収納室１２，１３，１４を冷却もしくは加熱して商品収納ラック１２１，１４１，２０に収容した商品をコールド・ホット状態に保存する冷却ユニット若しくは冷却／加熱ユニットが配設されている。また、前記本体キャビネット１の底壁１ａの下部は機械室として形成され、この機械室には前記冷却／加熱ユニットの冷却ユニットと冷凍サイクルを構成する圧縮機３（図２参照）、凝縮器４、膨張機構（図では隠れて見えない）および凝縮器４に送風する庫外ファン５が配設されている。前記冷却ユニットのみが配設された商品収納室はコールド専用室、冷却／加熱ユニットが配設された商品収納室はホット／コールド兼用室とされ、図に示す例では商品収納室１２がコールド専用室、商品収納室１３，１４がホット／コールド兼用室とされ、この場合コールド専用室である商品収納室１２の庫内下部には機械室の圧縮機３，凝縮器４で圧縮，凝縮された冷媒が循環される蒸発器６、庫内ファン７が冷却ユニットとして設置されており、ホット／コールド兼用室である商品収納室１３，１４の庫内下部には前記蒸発器６、庫内ファン７に加えて商品加熱用のヒーター８が加熱ユニットとして設置されている。そして、各商品収納室１２，１３，１４の背面には循環用ダクト９が冷却ユニット若しくは冷却／加熱ユニットと連通して配備され、前記循環用ダクト９の上端９ａは商品収納庫の略中段位置に開口している。なお、１２２，１４２は商品収納ラック１２１，１４１を固定する固定金具である。
【００１４】
前記本体キャビネット１の前面に開閉自在に装着された外扉１０（図１参照）の前面には良く知られているようにディスプレイ台に載置された商品見本のディスプレイ室が形成され、このディスプレイ室の前面を覆う透明板には各商品見本に対応して設けられた商品選択ボタンを備えた商品選択ボタンユニットが配設されるとともに商品取出口１０ａに加えて硬貨投入口、紙幣投入口、釣銭返却口、返却レバー、シリンダー錠付きのハンドルロック装置などが組付けられている。前記本体キャビネット１における商品収納庫の前面を閉塞する内扉１５は、この例では上下に分割されており、下部側の内扉１５には各商品収納室１２，１３，１４のシュータ２と対峙する位置に搬出扉１５ａにより常時閉塞された商品搬出口が設けられている。前記商品搬出口の搬出扉１５ａは上端を軸支されて常時商品搬出口を閉塞して冷気若しくは暖気の流出を防止しており、シュータ２を介して送出される商品により押し開かれるように形成されている。
【００１５】
さて、前記スラント式の商品収納ラック２０の構成について図３を用いて説明する。図に示すように、左右一対の上部支持フレーム材２１，２１および下部支持フレーム部材２２，２２には前方および中央付近にそれぞれ一対の縦フレーム材２３，２３がねじにより固着されている。前記上部支持フレーム材２１，２１と、下部支持フレーム部材２２，２２と、前方および中央付近に設けたそれぞれ一対の縦フレーム材２３，２３が商品収納ラックを構築するフレーム材を構成する。前方の縦フレーム材２３，２３間には上下方向に複数の梁部材２４が固着され、中央付近の縦フレーム材２３，２３の上端にも梁部材２４が固着されている。上部支持フレーム材２１，２１および下部支持フレーム部材２２，２２の後方側（図２から理解できるように奥行き側であり、以下後方を奥行きともいう）は背板２５と側面板２６により閉塞されている。この閉塞された垂直方向に延在する空間は商品が落下する商品通路として形成されている。そして、背板２５および両側板２６の下方には上方に開放したコ字状の送出部材２７が後方側ほど高く前方に向かうにしたがって下方に傾斜するように取付けられている。つまり、送出部材２７は、図２に示すように垂直の商品通路をシュータ２および内扉１５の商品搬出口を介して外扉１０の商品取出口１０ａに連繋させるものである。なお、商品収納ラック２０の各部材は厚板鋼板により形成されており、この商品収納ラック２０は本体キャビネット１（図１参照）の商品収納庫の天井に敷設したフレーム（不図示）に上部支持フレーム材２１，２１を直接、または取付部材（アダプター部材）を介して取付けられる。
【００１６】
前記上部支持フレーム材２１，２１および下部支持フレーム部材２２，２２に固着された前後の縦フレーム部材２３，２３には傾斜した商品支持ユニット３０が装着されている。この商品支持ユニット３０の装着については後述するが、商品支持ユニット３０の装着のために後方側の左右一対の縦フレーム材２３，２３には上下方向にそれぞれ４つの切欠２３１が形成されている。この切欠２３１が縦フレーム材２３の係合部を構成する。
この商品支持ユニット３０の構成を図４に示す。図に示すように、商品支持ユニット３０は左右一対の挟持部材３１，３１、この挟持部材３１，３１を連結する前後一対の連結部材３２，３３、後方の連結部材３３の上に設置された商品搬出機構３４および左右一対の挟持部材３１，３１に外側に向かって突出するように固着された取付金具３５，３５とからなる。
【００１７】
前記左右一対の挟持部材３１，３１は一方の面に潤滑塗膜が施された薄板の塗膜鋼板（以下、単に薄板鋼板ともいう）によりＬ字状に形成された長尺の部材からなり、それぞれ所定の間隙ｔをおいて対向配置されている。前記間隙ｔを形成する左右一対の挟持部材３１，３１の脚端部は一方の面（塗膜面）が外側となるように折り曲げによりダブルホールド（参照符合３６を付している）されており、間隙ｔを形成する脚端部の上下両面が塗膜面（すななち、潤滑性が良好な面）となっている。前記左右一対の挟持部材３１，３１の脚端部のダブルホールド３６が滑り木状に形成された商品（パウチ商品１００）の引っ掛け部（フランジ１０５）と接触する部分を構成する。前記左右一対の挟持部材３１，３１によりパウチ商品を吊下げ支持するのであるが、パウチ商品の装填については後述することとする。前記連結部材３２，３３は間隙ｔを残して左右一対の挟持部材３１，３１を囲繞するように枠体として構成されている。前記左右一対の挟持部材３１，３１は前記連結部材３２，３３にそれぞれねじにより強固に固着され、これにより左右一対の挟持部材３１，３１のそれぞれの脚端部の間に間隙ｔが一定に保たれている。前方側の連結部材３２には正面視Ｔ字形の取付片３２１が一体に形成されている。この取付片３２１は図３に示した商品収納ラック２０の梁部材２４に係合するものであり、その上端は鉤状に折り曲げられ、かつ、脚片中央付近にはねじ孔３２２が形成されている。前記取付金具３５は厚板鋼板により断面ハット形に形成され、それぞれの鍔部が挟持部材３１，３１にねじ止めされている。取付金具３５の頭部には段付ねじ３５１が螺着されており、この段付ねじ３５１が図２に示した商品収納ラック２０における中央付近の縦フレーム材２３，２３に形成された切欠２３１に係合するものである。前記商品搬出機構３４はベース３４１とカバー３４２とからなる箱体の内部に搬出機構が組み込まれたものであり、その搬出機構を図５に示す。
【００１８】
図５は前記商品搬出機構３４のカバー３４２を取り外した状態の斜め上方から見た斜視図である。図において、４０は駆動源としてのソレノイドであり、このソレノイド４０のプランジャー４１にはストッパ部材４２が連結されている。ストッパ部材４２はプランジャー４１の移動方向に平行な長孔４３，４３に段付ねじ４２１，４２１が遊嵌されており、プランジャー４１の移動方向にスライド自在に配設されるとともに復帰ばね４４が装着されている。また、前記ストッパ部材４２の後端部には下方に延在する第１のストッパ４５および第２のストッパ４６が形成されている。なお、第２のストッパ４６はベース３４１および左右の挟持部材３１，３１を連結する連結部材３３に設けた開口（不図示）を貫通して下方に延在している。また、第２のストッパ４６には図４に示したように先端に折り曲げにより後方側に向かって傾斜した押圧片４６２を備えた係止部材４６１が係止されている。
【００１９】
前記第１のストッパ４５は一対の挟持部材３１，３１の後端部に位置し、第２のストッパ４６は第１のストッパ４５から所定距離だけ前方側に離れた位置に配置されている。そして、販売待機状態（ソレノイド４０の非励磁状態）では第１のストッパ４５が一対の挟持部材３１，３１により形成された間隙ｔに臨んで位置しており、第２ストッパ４６が前記間隙ｔから左右方向にずれた位置に退避しており、ソレノイド４０が励磁された販売時には第１のストッパ４５が前記間隙ｔから退避し、第２のストッパ４６が前記間隙ｔに臨むように移動するものである。なお、４７はマイクロスイッチからなる商品検知スイッチ（売切れスイッチ）であり、マイクロスイッチの操作レバー４７１（図４参照）が一対の挟持部材３１，３１により形成される間隙ｔに臨むように配設されている。また、４８はソレノイド４０および商品検知スイッチ４７に電源を供給する電源線と、商品検知スイッチ４７からの検知信号を伝達する信号線が接続されたソケットであり、商品支持ユニット３０に取付けられたコネクタに装着されるものである。
【００２０】
前述したように構成された商品支持ユニット３０は次のようにして商品収納ラック２０に装着される。今、図３に示した上下方向に４段のうちの最上段の位置の空き領域に商品支持ユニット３０を装着する場合を例に説明すると、商品収納ラック２０を構成する前方の縦フレーム材２３，２３の間から商品支持ユニット３０を挿入する。この場合、左右の取付金具３５，３５が線直線上に並ぶように商品支持ユニット３０を倒した状態で挿入する。これは前記左右の取付金具３５，３５が水平線上に位置する姿勢で商品支持ユニット３０を縦フレーム材２３，２３の間に挿入すると前記取付金具３５，３５が左右の縦フレーム材２３，２３に当接することから、これを避けるためである。そして、商品支持ユニット３０の取付金具３５，３５が前方の縦フレーム材２３，２３の間を通過した段階で商品支持ユニット３０を元の姿勢に戻しつつ商品支持ユニット３０を後方に移動させる。次いで、商品支持ユニット３０の取付金具３５，３５に螺合された段付ねじ３５１，３５１を商品収納ラック２０を構成する中央付近の縦フレーム材２３，２３に形成したそれぞれの切欠２３１に係合させる。この状態で商品支持ユニット３０の前方側の連結部材３２に形成されたＴ字形の取付片３２１を梁部材２４に係合させてねじ止めする。このようにして商品収納ラック２０に装着された商品支持ユニット３０は前方側（商品投入側）が高く、後方側（商品搬出機構３４側）が低くなるように傾斜した状態となる。
【００２１】
前記商品支持ユニット３０に装填されるパウチ商品を図６に示す。図６（ａ）に示すようにパウチ商品１００は可撓性袋状容器１０２に硬質の合成樹脂からなる注出口部としてのスパウト１０４を固着し、当該スパウト１０４にキャップ１０６を装着してなる。前記スパウト１０４にはフランジ１０５が形成されており、図６の（ａ）の例ではフランジ１０５が１個のパウチ商品１００、（ｂ）の例ではフランジ１０５が２個のパウチ商品２００を示している。前記可撓性袋状容器１０２内にはスパウト１０４からゼリー状の飲食物が注入されており、可撓性袋状容器１０２が軟弱であることから起立させることが困難なものである。なお、１０７はスパウト１０４に設けられた接合フランジである。
上記のとおり容器形態が軟弱なパウチ商品は起立させることが困難なものであることから本発明においては前述した商品支持ユニット３０に吊下げ支持するようにしたものであり、次に前記商品支持ユニット３０へのパウチ商品の装填（補充）について図７を用いて説明する。図ではパウチ商品１００を装填する場合を示し、前記商品支持ユニット３０の前方から白抜き矢印で表すようにパウチ商品１００を装填する。すなわち、前記商品支持ユニット３０の左右一対の挟持部材３１，３１の間に形成された間隙ｔにスパウト１０４を挿入し、当該スパウト１０４に形成されたフランジ１０５を左右１対の挟持部材３１，３１に引っ掛ける。ここで、前記左右一対の挟持部材３１，３１の間に形成された間隙ｔはパウチ商品１００のスパウト１０４の幅より大きくフランジ１０５の長さよりも短い所定の寸法に定められている。前記商品支持ユニット３０の左右一対の挟持部材３１，３１にフランジ１０５を引っ掛けて吊下げられたパウチ商品１００はフランジ１０５が左右一対の挟持部材３１，３１上を滑動して自重により後方に移動する。前記商品支持ユニット３０の後方に移動したパウチ商品１００は商品搬出機構３４の第１のストッパ４５（図４、図５参照）により係止され、当該位置に停止した状態で吊下げ支持される。次に装填されたパウチ商品１００は第１のストッパ４５により係止された商品に当接して停止する。このようにして前記商品支持ユニット３０にパウチ商品１００を補充して収容した状態を図８に示し、パウチ商品１００は重力により略鉛直線に沿った姿勢で商品支持ユニット３０に吊下げ支持される。
【００２２】
ここで、パウチ商品１００は前記商品支持ユニット３０の左右一対の挟持部材３１，３１における間隙ｔにスパウト１０４を挿入してフランジ１０５を引っ掛けて収容されるのであるが、パウチ商品１００には図６に示したように、フランジ１０５以外にもキャップ１０６の下部が引っ掛け部として存在する。このため、パウチ商品１００を商品支持ユニット３０に装填する際、キャップ１０６（の下端）を前記商品支持ユニット３０の左右一対の挟持部材３１，３１に引っ掛けるように誤装填されるおそれがある。このような誤装填があるとキャップ１０６の下端が左右一対の挟持部材３１，３１の間隙ｔの間に嵌り込んで商品詰まりを生じたり、最悪の場合には脱落してしまうことがある。この問題の解決策として、フランジ１０５と接合フランジ１０７との間の厚み寸法ｔａに対してキャップ１０６とフランジ１０５の間の厚み寸法ｔｂは小さく形成（ｔａ＞ｔｂ）されていることを利用し、左右一対の挟持部材３１，３１を構成する鋼板を厚板鋼板としてキャップ１０６の下端を引っ掛けることができないようにすることが考えられる。しかしながら、左右一対の挟持部材３１，３１に厚板鋼板を利用すると重量が増加するとともにコストが上昇する。そこで、本発明の実施の形態では薄板鋼板（塗膜鋼板）を用いたとしても誤装填を防止することを可能とするため、間隙ｔをおいて対向配置された挟持部材３１，３１の脚端部を折り曲げてダブルホールドしている。ここで、ダブルホールドした挟持部材３１，３１の脚端部（厚み規制部材３６）の厚さｘはｔａ＞ｘ≧ｔｂに定められている。このように薄板鋼板（塗膜鋼板）をダブルホールドすることによって厚み寸法ｔａを有するフランジ１０５の下部を引っ掛けることを許容し、厚み寸法ｔｂを有するキャップ１０６の下部を引っ掛けることが困難となるので、引っ掛け部分を間違って装填するような誤装填が防止される。
【００２３】
なお、図６の（ｂ）に示したフランジ１０５が２個のパウチ商品２００においても、下側のフランジ１０５を引っ掛けて装填せねばならないところ、上側のフランジ１０５が引っ掛け部として存在していることから上側のフランジ１０５を引っ掛けるような誤装填のおそれがあるが、下部のフランジ１０５と接合フランジ１０７との間の寸法ｔｃに対して２個のフランジ１０５の間の寸法ｔｄが小さく形成（ｔｃ＞ｔｄ）されていることから、左右一対の挟持部材３１，３１の脚端部を折り曲げてダブルホールドすることにより誤装填を防止することができる。
また、パウチ商品１００はフランジ１０５を商品支持ユニット３０の左右一対の挟持部材３１，３１の上に乗せ自重により滑らせるように構成されていることから、前記フランジ１０５と前記商品支持ユニット３０の左右一対の挟持部材３１，３１の脚端部との摩擦抵抗が小さいことが望まれる。この要求に対しても間隙ｔをおいて対向配置された左右一対の挟持部材３１，３１の脚端部を折り曲げてダブルホールドした本発明に係る実施の形態の商品収納ラックは有利である。すなわち、一般的に用いられる鋼板は切削加工を容易にするために一方の面に潤滑性の塗膜がコーティングされた塗膜鋼板であるから、この塗膜鋼板の一方の面（潤滑性の塗膜がコーティングされた面）が外側となるようにダブルホールドすることによって、間隙ｔを形成する左右一対の挟持部材３１，３１の脚端部の上下両面が潤滑性が良好な面（摩擦抵抗が小さい面）となる。このため、パウチ商品１００のフランジ１０５と左右一対の挟持部材３１，３１の脚端部との摩擦抵抗を小さくすることができる。更に、商品支持ユニット３０の傾斜角度を大きくすることによりパウチ商品１００の自重による滑りが良くなる一方、商品支持ユニット３０の傾斜角度を大きくするとパウチ商品１００自体は重力によって略鉛直線に沿った姿勢を維持し続けるので、図９に示すように左右一対の挟持部材３１，３１の脚端部の上下両面にパウチ商品１００のフランジ１０５と接合フランジ１０７が同時に当接するようになる。この場合、左右一対の挟持部材３１，３１の脚端部をダブルホールドしていない場合にはパウチ商品１００のフランジ１０５または接合フランジ１０７のいずれか一方と左右一対の挟持部材３１，３１の脚端部との摩擦抵抗が大きくなるのであるが、塗膜鋼板の一方の面（塗膜面）が外側となるようにダブルホールドした本発明の実施の形態の挟持部材３１，３１においては当該挟持部材３１，３１の脚端部の上下両面にパウチ商品１００のフランジ１０５と接合フランジ１０７が同時に当接したとしても両者の摩擦抵抗を小さくすることができる。したがって、パウチ商品１００の自重による滑りをよくするために商品支持ユニット３０の傾斜角度を大きくすることができ、商品支持ユニット３０へのパウチ商品の収容をスムーズに行うことができる。
【００２４】
更に、図６に示したようなパウチ商品においては中身飲食物が異なるもの、或いは可撓性袋状容器１０２に充填された飲食物の内容量の相違によってフランジ１０５の幅Ｌ１，Ｌ２（例えば、Ｌ１＜Ｌ２）が異なっている。特に、可撓性袋状容器１０２に充填された飲食物が同一で内容量の異なるパウチ商品においては外形が類似していることから誤って装填されるおそれがある。そこで、本発明の実施の形態では図７に示したように、左右一対の挟持部材３１，３１の脚端部に近接して植設された一対の規制部材３７，３７を設けている。この一対の規制部材３７，３７の間の寸法Ｌ０はパウチ商品のフランジ１０５の幅Ｌ１，Ｌ２（図６参照）に対してＬ１＜Ｌ０＜Ｌ２（但し、Ｌ１＜Ｌ２である場合）と定められている。したがって、フランジ１０５の寸法がＬ０以下のパウチ商品については左右一対の挟持部材３１，３１の間に挿入して装填することを許容し、フランジ１０５の寸法がＬ０以上のパウチ商品については規制部材３７，３７により装填が阻止され、これにより種類の異なるパウチ商品の誤装填が防止される。なお、図７では規制部材３７，３７として専用の部材を植設したものについて説明したが、左右一対の挟持部材３１，３１と、この挟持部材３１，３１を連結する連結部材３２とを固着するねじを利用することもでき、この場合には部品点数を削減することができる。
【００２５】
次に、本発明の実施の形態である自動販売機における商品収納室１２，１３，１４の冷却・加熱動作について図２を用いて説明する。まず、商品収納室１３，１４（ホット／コールド兼用室）をコールド室として使用する場合にはヒーター８をオフし、圧縮機３，凝縮器４で圧縮，凝縮された冷媒を蒸発器６に送り、蒸発器６で熱交換した冷気を庫内ファン７でシュータ２の下側から庫内に吹き出して商品収納ラック２０，１４１内の商品を冷却して循環用ダクト９を介して蒸発器６に戻すような冷気循環を行う。一方、商品収納室１３，１４をホット室として使用する場合は前記蒸発器６への冷媒を停止させてヒーター８をオンにし、上記と同様に暖気の循環を行って商品を加熱する。前記商品収納室１３，１４のホット／コールド室への切り替えは季節の変わり目などに行われる。なお、コールド専用室である商品収納室１２は常時、蒸発器６で熱交換した冷気を庫内ファン７でシュータ２の下側から庫内に吹き出して商品収納ラック１２１内の商品を冷却して循環用ダクト９を介して蒸発器６に戻すような冷気循環が行われている。なお、商品収納ラック２０が収納された商品収納室１３をホット／コールド兼用室としているが、これはパウチ商品としてホット商品として販売する商品が出現した場合に備えたものである。
【００２６】
次に、本発明の実施の形態である自動販売機における販売時に動作について説明する。図１０は商品搬出機構３４の動作時における第１のストッパ４５，第２のストッパ４６の動作を示すものであり、商品搬出機構３４の全体構成を示す図５をも参照しながら販売動作について説明する。
販売待機状態においてはソレノイド４０が非励磁状態にあり、第１のストッパ４５が左右一対の挟持部材３１，３１の間の間隙ｔの位置に突出して販売順位一番の商品（以下、販売商品ともいう）を係止しており、販売商品と販売順位二番の商品（以下、次販売商品ともいう）との間に位置する第２のストッパ４６が左右一対の挟持部材３１，３１の間の間隙ｔの位置から退避している。この状態においてマイクロスイッチからなる商品検知スイッチ（売切れスイッチ）４７の操作レバー４７１が販売商品に当接して商品検知信号を出力している。いま、外扉１０（図１参照）に設けられた商品選択ボタンが操作されると不図示の制御部から対応する商品搬出機構３４（ソレノイド４０）に所定時間幅の励磁信号が供給される。前記ソレノイド４０が励磁されると図５に示したプランジャー４１を介してストッパ部材４２が左右方向（図５では右方向）に移動する。これにより第１のストッパ４５および第２のストッパ４６が図１０において左方向に移動し、すなわち、第１のストッパ４５が間隙ｔから退避し、第２のストッパ４６が間隙ｔに突出する。前記第１のストッパ４５の間隙ｔからの退避により販売商品は第１のストッパ４５による係止が解かれる。これと同時に第２のストッパ４６が間隙ｔに突出するように移動する過程において当該第のストッパ４６に設けた係止部材４６２の押圧片４６２が販売商品を押圧して販売商品を商品支持ユニット３０から排出させた後、第２のストッパ４６が間隙ｔに突出する。販売商品が搬出されると次販売商品以降の商品は支えを失うので順次商品支持ユニット３０の後端部に向かって滑動して間隙ｔに突出した第２のストッパ４６に係止されて一旦保持される。
【００２７】
前記ソレノイド４０への励磁信号が遮断されるとプランジャー４１が復帰ばね４４により元の位置（図５の状態）に復帰して第１のストッパ４５が間隙ｔの位置に突出し、第２のストッパ４６が間隙ｔから退避する。前記第２のストッパ４６が間隙ｔから退避すると第２のストッパ４６に保持されていた次販売商品以降の商品は商品支持ユニット３０の後端部に向かって滑動し、間隙ｔに突出した第１のストッパ４５に係止されて販売待機状態となる。なお、前記商品搬出機構３４により搬出されて商品支持ユニット３０の後端部から落下する商品は図２に示す商品収納ラック２０の送出部材２７を介してシュータ２に送出される。
さて、図１には本発明に係る商品収納ラック２０をサーペンタイン式商品収納ラック１２１，１４１と並設した自動販売機を示している。これは、自動販売機で多種多様の商品（缶入り飲料などに代表される容器が硬質である商品やパウチ商品で代表される容器が比較的軟弱である商品）を販売可能としたものであるが、多種多様の商品を販売可能とするにあたり既設の自動販売機に対して構成を大幅に変更したのでは既設の自動販売機を新規の自動販売機と置き換えねばならない。そこで、本発明の実施の形態においてはパウチ商品を収容可能な商品収納ラック２０をサーペンタイン式商品収納ラックと互換性を持たせて（サーペンタイン式商品収納ラックを搭載した）既設の自動販売機にも本発明に係る商品収納ラック２０を搭載可能としたものである。以下、公知のサーペンタイン式商品収納ラックと互換性を持たせるようにした商品収納ラック２０について説明する。
【００２８】
図１１は公知のサーペンタイン式商品収納ラックと互換性を持たせるようにした商品収納ラック２０を示す。公知のサーペンタイン式商品収納ラックを自動販売機の商品収納庫に配設する方法として次の二種類の方式があり、まずはその方式について説明する。
先ず、第１の方式は図１１の（ａ）に示すように自動販売機の天井面に前後方向に延在する本体側フック金具５０が敷設され、この本体側フック金具５０に商品収納ラック１２１，１４１を引っ掛ける引っ掛け方式であり、第２の方式は図１１の（ｂ）に示すように自動販売機の天井面に左右方向に延在する本体側フック金具５５が敷設され、この本体側フック金具５５に商品収納ラック１２１，１４１を固着する固着方式である。前記引っ掛け方式は例えば特開２００５−１２２５９６号公報にも記載されているとおり、商品収納ラック１２１，１４１を構成する左右一対のラック側板の上端に前記本体側フック金具５０のフック５０１に係合するラック側フックを設け、当該ラック側フックを前記本体側フック金具５０のフック５０１に係合させたものであり、この引っ掛け方式では本体側フック金具５０をガイドとして商品収納ラック１２１，１４１をスライドさせることにより庫内に格納、または庫内から引出すことができる。一方、固着方式は例えば特開平９−２８８７６８号公報にも記載されているとおり、商品収納ラック１２１，１４１を構成する左右一対のラック側板にラック側フック金具を架設し、このラック側フック金具を前記本体側フック金具５５のフック５５１に係合させて両者をねじ止めしたものである。
【００２９】
前述したとおり公知のサーペンタイン式商品収納ラック１２１，１４１は図１１に示した本体側フック金具５０，５５を用いて商品収納庫内に配設されている。そこで発明者等は、前記本体側フック金具５０，５５に本発明に係る商品収納ラック２０を装着可能とすればサーペンタイン式商品収納ラック１２１，１４１との互換性を持たせることを突き止め、商品収納ラック２０を前記本体側フック金具５０，５５に装着するアダプター部材の開発に至った。
さて、図１１には商品収納ラック２０を前記本体側フック金具５０，５５に装着するアダプター部材を示している。なお、図１１に示した商品収納ラック２０は図３にて説明したように組立られたものであるので、ここでは重複する説明は省略する。図１１の（ａ）は前述した引っ掛け方式に採用されたアダプター部材５１を示しており、アダプター部材５１は左右一対のラック固定金具５２、およびラック側フック金具５３からなる。前記左右一対のラック固定金具５２は断面Ｚ字状に形成された厚板鋼板からなり、その一端が商品収納ラック２０を構成する左右一対の上部支持フレーム材２１，２１にねじにより固着されるとともに他端がラック側フック金具５３に固着されている。前記ラック側フック金具５３は厚板鋼板により下面が開放した箱形に形成されるとともに左右両端に本体側フック金具５０のフック５０１に係合するラック側フック５４が形成されてなる。前記商品収納ラック２０には予め二組のアダプター部材５１が上部支持フレーム材２１，２１に固着されてなる。前記商品収納ラック２０を商品収納庫内に配設する際、まず、後方側のアダプター部材５１におけるラック側フック金具５３のラック側フック５４を本体側フック金具５０のフック５０１に対峙させて両者が係合するように押し込んでスライドさせ、同様に前方側にアダプター部材５１のラック側フック金具５３のフック５４を本体側フック金具５０のフック５０１に係合させてスライドさせて組み付ける。
【００３０】
図１１の（ｂ）は前述した固着方式に採用されたアダプター部材５６を示しており、アダプター部材５６はラック側フック金具５７からなる。ラック側フック金具５７は圧板鋼板の平板のからなり、その下端に商品収納ラック２０を構成する左右一対の上部支持フレーム材２１，２１の下面に潜り込んでねじ止めされる固定アーム５８、および上端に本体側フック金具５５のフック５５１に係合するラック側フック５９が形成されている。前記商品収納ラック２０には予め二組のアダプター部材５６が上部支持フレーム材２１，２１に固着されてなる。前記商品収納ラック２０を商品収納庫内に配設する際、それぞれのアダプター部材５６におけるラック側フック５９を本体側フック金具５５のフック５５１に対峙させて両者を係合させる。次いで、アダプター部材５６と本体側フック金具５５をねじ止めして組み付ける。図１１に示したようにアダプター部材５１，５６を設けたことによりパウチ商品を収容する商品収納ラック２０を公知のサーペンタイン式商品収納ラック１２１，１４１に対して互換性を持たせることができ、既設の自動販売機のサーペンタイン式商品収納ラックと交換することができる。
【００３１】
なお、本発明の実施の形態においては、前述したように本発明に係る商品収納ラック２０をサーペンタイン式商品収納ラックと構造上の互換性を持たせ、既設の自動販売機のサーペンタイン式商品収納ラックと交換することができるうえに電気的にも互換性を持たせている。これは、サーペンタイン式商品収納ラックの商品搬出機構においては販売商品を係止する下ストッパと次販売商品を係止する上ストッパとをソレノイドにより駆動することによって前記下ストッパおよび上ストッパを商品通路に交互に突出させることに鑑み、本発明に係る商品収納ラック２０においても商品搬出機構３４の駆動源としてソレノイド４０を用い、このソレノイド４０によりストッパ部材４２を駆動して販売商品を係止する第１のストッパ４５および次販売商品を係止する第２のストッパ４６が左右一対の挟持部材３１の隙間ｔに交互に出没するように構成したものである。また、商品収納ラック２０に装填された商品を検出する商品検知スイッチ４７（図４，図５参照）を備えており、この商品検知スイッチ４７から商品の売切れ検知信号を出力するように構成されている。このような商品搬出機構３４および商品検知スイッチ４７を用いることによりサーペンタイン式商品収納ラックの商品搬出機構に供給される電源や制御信号により商品搬出機構３４が商品搬出動作を実行し、商品検知スイッチ４７が自動販売機の制御部に売切れ信号を送出する。つまり、サーペンタイン式商品収納ラックを搭載した既設の自動販売機の制御プログラムを何ら変更することなく本発明に係る商品収納ラック２０をサーペンタイン式商品収納ラックと交換して配線接続を行うことによって直ちに自動販売機を稼動させることができるものである。
【００３２】
前述したとおり本発明の実施の形態１の自動販売機の商品収納ラックによれば、飲み口部分に引っ掛け部（フランジ１０５）を有し、かつ、容器形態が軟弱な商品（パウチ商品１００，２００）を販売する自動販売機の商品収納ラック２０であって、上下左右のフレーム材（上部支持フレーム材２１，２１、下部支持フレーム部材２２，２２、縦フレーム材２３，２３）により商品収納ラック２０の枠体を構築し、左右のフレーム材（縦フレーム材２３，２３）に上下方向に複数段架設され、所定の間隙ｔをおいて配置された左右一対の商品挟持部材３１，３１に前記商品の引っ掛け部（フランジ１０５）を引っ掛けて支持し、かつ、前方側（商品投入側）に対して後方側が低くなるよう傾斜して前記商品をその自重により滑らせて吊下げ収容するとともに後端部に商品搬出機構３４を有する商品支持ユニット３０を設け、前記挟持部材３１，３１の前記商品（パウチ商品１００，２００）の引っ掛け部（フランジ１０５）と接触する部分を滑り木状に形成してなる、具体的には前記挟持部材３１，３１を一方の面に潤滑性の塗膜が施された薄板の塗膜鋼板により形成するとともに所定の間隙をおいて対峙する前記挟持部材３１，３１の端部を、当該塗膜鋼板の他方の面同士が接するようにダブルホールドしたことにより、飲み口部分に引っ掛け部（フランジ１０５）を有し、かつ、容器形態が軟弱な商品を収容する商品収納ラック２０を簡単な構成とすることができ、また、商品を吊下げ支持する挟持部材３１,３１を薄板鋼板により形成することができるので、自動販売機の重量の軽減化を図ることが可能であり、更に、挟持部材３１,３１の上下面に商品が接した場合にも商品と挟持部材との間の摩擦抵抗が小さいことから商品をスムーズに滑動させることができるので、商品の自重による滑りを良好にするために挟持部材３１,３１の傾斜角を大きくすることが可能である。
【００３３】
（実施の形態２）
図１２は本発明の実施の形態２である自動販売機におけるスラント式商品収納ラックに架設される商品支持ユニットを示している。この実施の形態２における自動販売機におけるスラント式商品収納ラックが実施の形態１における自動販売機におけるスラント式商品収納ラックと主に異なる点はスラント式商品収納ラックに架設されてなる商品支持ユニットの点であり、実施の形態１と同一の部材若しくは同一の機能を有するものには同一の符号を付してその説明を省略する。
図１２において、３０Ａで本発明の実施の形態２における自動販売機のスラント式商品収納ラックに架設される商品支持ユニットを示し、この商品支持ユニット３０Ａが実施の形態１に記載した商品支持ユニット３０と異なる点は、実施の形態１では左右一対の挟持部材３１，３１の脚端部にダブルホールドが施されているのに対し、この実施の形態では左右一対の挟持部材３１，３１の脚端部をシングル状に形成するとともにその前端部に互いに離隔する方向に湾曲した曲面部３１Ａ，３１Ａを形成した点、および左右一対の挟持部材３１，３１の脚端部にレール３６０，３６０を装着した点であり、その他の構成は実施の形態１の商品支持ユニット３０と同一である。
【００３４】
ここで、前記レール３６０，３６０は左右一対の挟持部材３１，３１の脚端部から取り外した状態の分解図として示す図１２の（ａ）から明らかなように、挟持部材３１，３１の脚端部が嵌め込まれる溝部３６１，３６１を形成するとともに前端部に互いに離隔する方向に湾曲した曲面部３６２，３６２を形成している。このレール３６０，３６０はプラスチック成型品として形成することができ、このレール３６０，３６０が滑り木状に形成されたパウチ商品１００のフランジ１０５（引っ掛け部）と接触する部分を構成する。前記レール３６０，３６０は図１２の（ｂ）に示すように、レール３６０，３６０の溝部３６１，３６１に挟持部材３１，３１の脚端部を嵌め込んで装着される。この場合、挟持部材３１，３１の脚端部の曲面部３1Ａとレール３６０，３６０の曲面部３６２，３６２が合致するように装着する。このように挟持部材３１，３１の脚端部にレール３６０，３６０を装着することにより実施の形態１における挟持部材３１，３１のダブルホールド３６と同様に、間隙ｔを形成する左右一対の挟持部材３１，３１の脚端部の上下両面を潤滑性が良好な面（摩擦抵抗が小さい面）とすることができる。そして、経年変化によりレール３６０，３６０の滑り性が劣化した場合にはレール３６０，３６０のみを交換すればよく、商品支持ユニット３０Ａそのものを交換する場合に比べて保守部品の低廉化を図ることができる。
【００３５】
また、レール３６０，３６０の前端部が曲面部３６２，３６２として形成されていることから左右一対の挟持部材３１，３１の前端部は前方に向けて拡開、つまり間隙ｔの幅よりも大きく拡げられている。したがって、前記商品支持ユニット３０の前方から白抜き矢印で表すようにパウチ商品１００（図６、図７参照）を装填する場合、パウチ商品１００のスパウト１０４を曲面部３６２に沿わせつつ装填すればパウチ商品１００のスパウト１０４が一対の挟持部材３１，３１の間隙ｔに挿入されることから補充作業を容易に行うことができる。
なお、前述した各実施の形態においては飲み口部分に引っ掛け部を有し、容器形態が軟弱なパウチ商品について説明したが、これに限るものではない。例えば、容器形態が硬質であっても起立させることが困難な商品や横倒し姿勢で転動させることが困難であり、かつ、飲み口部分に引っ掛け部を有する商品や容器形状が異形であって飲み口部分にキャップなどが装着された商品にも本発明に係る商品収納ラックを適用することができるものであり、実施の形態に限定されるものではない。
【００３６】
また、この発明において、滑り木状とは磨耗を抑制する滑り木そのものを意味するものではなく、挟持部材における商品の引っ掛け部と接触する部分の摩擦抵抗が小さく滑り性がよいことを意味するものである。
【符号の説明】
【００３７】
１…本体キャビネット、２…シュート、３…圧縮機、４…凝縮器、６…蒸発器、９…風胴、１０…外扉、１２，１３，１４…商品収納庫、１５…内扉、２０…商品収納ラック、        ２１…上部支持フレーム材、２２…下部支持フレーム材、２３…縦フレーム材、２４…梁、３０…商品支持ユニット、３１…挟持部材、３１Ａ，３６２…曲面部、３２，３３…連結部材、３４…商品搬出機構、３６…ダブルホールド（厚み規制部材）、３７…幅規制部材、４０…ソレノイド（駆動源）、４１…プランジャー、４２…ストッパ部材、４４…復帰ばね、４５…第１のストッパ、４６…第２のストッパ、４７…商品検知スイッチ（売切れスイッチ）、５０，５５…本体側フック金具、５１，５６…アダプター部材、５２…ラック固定金具５２、５３，５７…ラック側フック金具、５４，５９…ラック側フック、１００，２００…パウチ商品、１０２…可撓性容器、１０４…スパウト、１０５…フランジ、１０６…キャップ、１０７…固定リング、３６０…レール、３６１…溝部。
【図１】
2010108481.tif 000003
【図２】
2010108481.tif 000004
【図３】
2010108481.tif 000005
【図４】
2010108481.tif 000006
【図５】
2010108481.tif 000007
【図６】
2010108481.tif 000008
【図７】
2010108481.tif 000009
【図８】
2010108481.tif 000010
【図９】
2010108481.tif 000011
【図１０】
2010108481.tif 000012
【図１１】
2010108481.tif 000013
【図１２】
2010108481.tif 000014